(57)【要約】【課題】  情報再生装置において、画像を再生するとき、撮影日に関連する楽曲を同期して再生させる。【解決手段】  情報再生装置において、入力された画像情報の撮影年月日を分析する撮影年月日分析部と、撮影年月日に基づいて楽曲情報を取得する楽曲情報取得部と、楽曲情報の特徴的な部分を抽出する楽曲構成分析部と、画像情報を復号して再生する画像情報再生部と、楽曲情報を復号して再生する楽曲情報再生部と、画像情報の表示時間と楽曲情報の再生時間を整合させ画像情報再生部と楽曲情報再生部に同期して再生させる再生時間制御部とを備える。【選択図】      図１
2010087657.tif 000002
【特許請求の範囲】
【請求項１】
入力された画像情報の撮影年月日を分析する撮影年月日分析部と、
前記撮影年月日分析部が分析した撮影年月日に基づいて楽曲情報を取得する楽曲情報取得部と、
前記楽曲情報取得部が取得した楽曲情報の特徴的な部分を抽出する楽曲構成分析部と、
画像情報を復号して再生する画像情報再生部と、
楽曲情報を復号して再生する楽曲情報再生部と、
前記画像情報の表示時間と前記楽曲情報の再生時間を整合させ前記画像情報再生部と前記楽曲情報再生部に同期して再生させる再生時間制御部と
を備えることを特徴とする情報再生装置。
【発明の詳細な説明】
【技術分野】
【０００１】
本発明は、楽曲情報を画像情報と同時に再生する情報再生装置に関する。
【背景技術】
【０００２】
ディジタル機器の普及に伴い、画像をディジタルデータとして撮影、保存することが多くなった。一方、音楽も光ディスクやネットワークを介してディジタルデータで購入し、磁気ディスクや不揮発性メモリに保存して利用する機会が増えた。（特許文献１、特許文献２、特許文献３参照）
【０００３】
【特許文献１】特開２００６−０４１７０６号公報
【特許文献２】特開２００５−１６６２２４号公報
【特許文献３】特開２００４−１５８１０５号公報
【発明の開示】
【発明が解決しようとする課題】
【０００４】
特許文献１の装置は、光ディスク上の音声データの再生時に、関連性のある静止画像を同時に表示するもので、音声データの聴取が主目的である。
特許文献２の装置は、静止画再生中に音声データを再生するものであるが、音声データの選択操作をユーザーが行う必要があり、再生時間の調整機能は備えていない。
特許文献３の装置は、音声データに連動して静止画を切り替える機能を備えているが、音声データと静止画データが同一の光ディスクに記録されていることを必要としている。
【０００５】
このように、従来からある装置では、音楽の再生を主体として、その音楽に合わせて静止画の表示を行うものであり、静止画の連続再生に合わせて関連する音楽を自動的に再生しようとするものはなかった。なぜならば、静止画の連続再生を主体として、音楽のうち関連する楽曲を検索して再生しようとすると、画像の表示時間に対して楽曲の再生時間が長くなってしまい、そのことによって、楽曲の再生時間に合わせて画像を見ることになり、複数の画像を閲覧するために多くの時間が必要になってしまうという問題があったためである。
【０００６】
また、従来の装置は、再生時間の調整機能を備えていないため、例えば、同一撮影日の画像に対して関連する１曲を再生するとしたとき、同一撮影日の画像の数が撮影日によって異なっていると、一画像あたりの表示時間が撮影日によって異なり、表示時間が均一にならないため、視聴者が不自然と感じてしまう問題がある。
【０００７】
本発明の目的は、情報再生装置において、再生しようとする画像情報の撮影日情報を解析し、撮影時の楽曲情報と楽曲の構造を分析することによって、撮影日に関連する楽曲を画像に同期して再生できるようにすることにある。
【課題を解決するための手段】
【０００８】
本発明に係る情報再生装置は、入力された画像情報の撮影年月日を分析する撮影年月日分析部と、前記撮影年月日分析部が分析した撮影年月日に基づいて楽曲情報を取得する楽曲情報取得部と、前記楽曲情報取得部が取得した楽曲情報の特徴的な部分を抽出する楽曲構成分析部と、画像情報を復号して再生する画像情報再生部と、楽曲情報を復号して再生する楽曲情報再生部と、前記画像情報の表示時間と前記楽曲情報の再生時間を整合させ前記画像情報再生部と前記楽曲情報再生部に同期して再生させる再生時間制御部とを備える。
【発明の効果】
【０００９】
本発明の情報再生装置及び情報再生方法によれば、画像情報とともに、画像情報の記録年月日に応じた楽曲情報を同期して再生することができる。
例えば、ディジタルカメラ、携帯電話等で撮影した画像情報とともに、撮影当時の楽曲情報を自動的に検索し、再生時間を合わせて同時に再生することができるので、視覚だけでなく聴覚からも撮影当時を思い出し懐かしむきっかけとすることができるようになる。
【発明を実施するための最良の形態】
【００１０】
図１は、本発明の情報再生装置の一実施形態の構成を示すブロック図である。
情報再生装置１は、情報読出し部１１、画像付加情報取得部１２、撮影年月日分析部１３、楽曲付加情報取得部１４、楽曲構成分析部１５、再生時間制御部１６、ディジタル画像復号部１７、ディジタル音声復号部１８を備える。また、情報再生装置１には、入力装置２、スピーカ３、画像表示装置４が接続されている。
入力装置２は、ユーザー操作を入力するためのものであり、操作信号は、情報再生装置１内の再生時間制御部１６に伝達される。スピーカ３は、情報再生装置１から出力される楽曲等のオーディオ信号を音に変換して出力する。画像表示装置４は、情報再生装置１から出力される画像信号を画面に表示する。
【００１１】
情報読出し部１１は、図示しない情報記録媒体から、画像情報、楽曲情報を読み出す。情報記録媒体としては、磁気ディスク、不揮発メモリ、光ディスク等が用いられる。また、外部の情報記録機器やネットワークを接続して情報記録媒体として使用し、画像情報、楽曲情報を読み出す構成とすることも可能である。
画像付加情報取得部１２は、情報読出し部１１からの画像情報から、撮影年月日時等の画像付加情報を取得する。撮影年月日時情報等の画像付加情報は、例えば、社団法人日本電子工業振興協会によって規定されたExif（登録商標）(Exchangeable Image File Format)と呼ばれる画像ファイルフォーマットに従って記録されている。このような撮影年月日時情報が取得できないときは、画像ファイルフォーマット情報の作成年月日時情報を取得して撮影年月日時とみなす。
【００１２】
撮影年月日分析部１３は、撮影の週、月、年それぞれの期間毎の画像ファイルの数を分析する。分析例を図２〜図４に示す。
図３は、撮影年月日分析部１３が撮影日情報を年間の撮影枚数で分析した、年毎の撮影枚数の分布を示す図である。図４は、撮影年月日分析部１３が撮影日情報を月間の撮影枚数で分析した、月毎の撮影枚数の分布を示す図である。図５は、撮影年月日分析部１３が撮影日情報を週間の撮影枚数で分析した、週毎の撮影枚数の分布を示す図である。
【００１３】
楽曲付加情報取得部１４は、情報読出し部１１からの楽曲情報から、楽曲のフォーマットがMP3(MPEG Layer III)形式であればID3タグ情報を取得し、楽曲のフォーマットがASF形式であれば、ファイルフォーマットから楽曲の作成年度を取得する。このような楽曲付加情報が取得できないときは、楽曲ファイルの作成年月日時情報を取得して楽曲の作成年月日時情報と見なす。
楽曲構成分析部１５は、楽曲の構成を分析し、繰り返し再生されて印象に残ると推測できる部分を検出することにより、楽曲の重要部分を抽出する。または、情報読出し部１１、楽曲付加情報取得部１４を介して情報記録媒体から既に抽出済みの楽曲の重要部分情報を取得する。
【００１４】
再生時間制御部１６は、撮影年月日分析部１３からの分析結果情報に基づいて、画像ファイルの数から１画像当たりの表示時間を計算し、１画像当たりの表示時間が近似する楽曲の数を計算する。また、再生時間制御部１６は、楽曲構成分析部１５の分析結果情報に基づいて、楽曲の重要部分の演奏時間を計算する。
ディジタル画像復号部１７は、情報読出し部１１からの画像情報を復号して画像表示装置４に出力する。
ディジタル音声復号部１８は、情報読出し部１１からの楽曲情報を復号してスピーカ３に出力する。
再生時間制御部１６は、ディジタル画像復号部１７、ディジタル音声復号部１８の制御を行い、画像情報と楽曲情報の出力を同期制御する。
【００１５】
以下、実施形態の一例について説明する。
ユーザーが、入力装置２を操作して、情報記録媒体上の表示させたい画像ファイルを含む領域を指定すると、情報読出し部１１は、指定された画像ファイルを情報記録媒体から検索して読み出し、画像付加情報取得部１２は、指定された再生対象の全ての画像ファイルから撮影年月日時情報を取得する。
【００１６】
撮影年月日分析部１３は、撮影の週、月、年それぞれの期間毎の画像ファイルの数を分析し、画像ファイルが、いずれか１つの期間に属し、各撮影期間の画像ファイルの数が均一になるよう期間を調整することによって、撮影年月日時毎の画像ファイルの数のバラつきを平均化する処理を行う。写真撮影であれば、一般的に、季節行事や旅行等の際にだけ撮影されることが多く、年間を通じて撮影枚数を行う時期と全く行わない時期が平均化されていることは少なく、図２〜図４に示すようにバラつきがある。
そこで、撮影年月日分析部１３は、撮影枚数の少ない時期は対象期間を長くし、撮影枚数の多い時期は期間を短く分割することによって、撮影枚数を平均化する処理を行う。図５に、撮影年月日分析部１３が期間毎の撮影枚数を平均化するように期間を調整した一例を示す。
【００１７】
楽曲付加情報取得部１４は、楽曲の作成年度等の付加情報を取得する。楽曲ファイルだけでは、画像ファイルの撮影日時に対応する十分な楽曲ファイルが得られない可能性もある。そこで、楽曲付加情報取得部１４は、有線ラジオ放送業者への視聴者からの放送要求（リクエスト）数、楽曲販売の売上げ情報等を用いることにより、年間、月間、週間でランキング上位など、多くの人々の支持を集めた楽曲情報を取得することにより、楽曲情報としては持っていないが、撮影当時に耳にされていた可能性が高いと推測できる楽曲情報を取得する。
【００１８】
楽曲構成分析部１５は、楽曲の構成を分析し、繰り返し再生されて印象に残ると推測できる部分を検出することにより、楽曲の重要部分を抽出する。
再生時間制御部１６は、撮影年月日分析部１３からの分析結果情報に基づいて、１画像当たりの表示時間が近似する楽曲の数を計算し、同一楽曲が複数の撮影期間毎のグループに重複して含まれないように調整する。
このようにして、画像ファイルの撮影期間毎の分割と、撮影時に聞いていた、又は耳にしていたと推測される楽曲に対応することができる。
また、再生時間制御部１６は、１曲あたり数分間の楽曲を複数再生したとき、再生時間の合計が、画像を連続で表示する合計時間よりも長くなってしまわないように、画像の表示時間と楽曲の再生時間の整合を取る。
【００１９】
再生時間制御部１６は、このようにして得られた、撮影年月日時情報と、撮影時に聞いていた可能性のある楽曲を結び付け、更に、再生時間制御部１６によって、画像の表示時間と楽曲の再生時間の整合を取り、情報記録媒体に記録された情報を、ディジタル画像複号部１７とディジタル音声復号部１８を用いて同期させて再生する。
再生時間制御部１６は、調整された楽曲の数と印象的な部分の長さ、各撮影期間に含まれる画像の数、入力装置からユーザーが操作入力した再生条件から、最終的な一画像あたりの表示時間を計算する。時系列順に画像を再生し、その際、当時に支持された楽曲の印象的な部分を再生する。
【００２０】
以上に述べた本発明の実施の形態は、一例であり、本発明は、この実施形態に限定されない。例えば、本発明の実施の形態では、映像表示装置４に接続して使用する据え置き型の情報再生装置の適用例について説明したが、本発明は、このような適用例に限定されず、テレビ受像機、携帯電話、コンピュータ用ソフトウェア等に適用して実施することも可能である。
この情報再生装置によれば、ディジタルカメラ、携帯電話等で撮影した画像の収録された、不揮発性メモリ、光ディスク等を、本体に挿入、直接接続、または本体内に一度保存した画像と、撮影当時の楽曲を自動的に検索し、再生時間の調整を行った状態で同時に再生することにより、視覚だけでなく、聴覚からも、撮影当時を思い出し懐かしむきっかけとなる楽曲を再生することができる。
【図面の簡単な説明】
【００２１】
【図１】本発明の情報再生装置の一実施形態の構成を示すブロック図である。
【図２】撮影年月日分析部１３が撮影日情報を年間の撮影枚数で分析した一例を示す図である。
【図３】撮影年月日分析部１３が撮影日情報を月間の撮影枚数で分析した一例を示す図である。
【図４】撮影年月日分析部１３が撮影日情報を週間の撮影枚数で分析した一例を示す図である。
【図５】撮影年月日分析部１３が期間毎の撮影枚数を平均化するように期間を調整した一例を示す図である。
【符号の説明】
【００２２】
１  情報再生装置
２  入力装置
３  スピーカ
４  画像表示装置
１１  情報読出し部
１２  画像付加情報取得部
１３  撮影年月日分析部
１４  楽曲付加情報取得部
１５  楽曲構成分析部
１６  再生時間制御部
１７  ディジタル画像復号部
１８  ディジタル音声復号部
【図１】
2010087657.tif 000003
【図２】
2010087657.tif 000004
【図３】
2010087657.tif 000005
【図４】
2010087657.tif 000006
【図５】
2010087657.tif 000007